(57)【要約】【課題】車両後部の車体剛性を確実に向上させることができる車両の後部車体構造の提供を目的とする。【解決手段】リヤサスペンションのダンパ支持部の前側近傍に配設される車体下壁部Ｈ、左右の両側壁部Ｉ、上壁部Ｊを連続させて車幅方向において環状となる第１環状構造部Ｚ１と、リヤゲート開口部の周縁部に配設される車体下壁部Ｋ、左右の両側壁部Ｌ、上壁部Ｍを連続させて車幅方向において環状となる第２環状構造部Ｚ２と、第１および第２の環状構造部Ｚ１，Ｚ２の一部を併用し、両環状構造部Ｚ１，Ｚ２の上部間同士および下部間同士を連結させて車両前後方向において環状となる第３環状構造部Ｚ３と、を備え、各環状構造部Ｚ１〜Ｚ３は、閉断面部、または、車体パネルより厚板の厚板部にて形成されたことを特徴とする。【選択図】図１３
2020138577.tif 000002
【特許請求の範囲】
【請求項１】
車両の後部車体構造であって、
リヤサスペンションのダンパ支持部を備え、
上記リヤサスペンションのダンパ支持部の前側近傍に配設される車体下壁部、左右の両側壁部、上壁部を連続させて車幅方向において環状となる第１環状構造部と、
リヤゲート開口部の周縁部に配設される車体下壁部、左右の両側壁部、上壁部を連続させて車幅方向において環状となる第２環状構造部と、
上記第１および第２の環状構造部の一部を併用し、これら両環状構造部の上部間同士および下部間同士を連結させて車両前後方向において環状となる第３環状構造部と、を備え、
上記各環状構造部は、閉断面部、または、車体パネルより厚板の厚板部にて形成された
車両の後部車体構造。
【請求項２】
上記第１環状構造部が、フロアパネルおよびフロアクロスメンバから成り車幅方向に延びる車体下壁部と、
リヤホイールハウス、第１ブレース部材および中間ピラーから成り上下方向に延びる側壁部と、
ルーフパネルおよびルーフレインから成り車幅方向に延びる上壁部と、で構成された
請求項１に記載の車両の後部車体構造。
【請求項３】
上記第２環状構造部が、リヤエンドパネルおよびリヤエンドクロスメンバから成り車幅方向に延びる車体下壁部と、
リヤピラーから成り上下方向に延びる側壁部と、
ルーフパネルおよびリヤヘッダから成り車幅方向に延びる上壁部と、で構成された
請求項１に記載の車両の後部車体構造。
【請求項４】
上記リヤサスペンションのダンパ支持部の後側近傍に配設されフロアパネルと第２のフロアクロスメンバから成り車幅方向に延びる車体下壁部と、
リヤホイールハウス、サイドパネルおよび第２ブレース部材から成り上下方向に延びる側壁部と、
ルーフパネルおよびリヤヘッダから成り車幅方向に延びる上壁部と、を連続させて車幅方向において環状となる第４環状構造部を備え、
該第４環状構造部は、閉断面部、または、車体パネルより厚板の厚板部にて形成された
請求項１〜３の何れか一項に記載の車両の後部車体構造。
【請求項５】
上記第１環状構造部と上記第２環状構造部の上端同士は、ルーフサイドレールで前後方向に連結され、下端同士は、リヤサイドフレームを含む閉断面部と、リヤサイドフレーム後端と第２環状構造部の車体下壁部を連結するリヤバンパレイン取付け補強部材と、を介して前後方向に連結された
請求項１〜４の何れか一項に記載の車両の後部車体構造。
【請求項６】
上記リヤサスペンションのダンパ支持部がリヤサイドフレームに配設されており、
当該ダンパ支持部を補強するリヤサスペンションのダンパ支持補強部材が、リヤサイドフレーム上面のフロア部に接合された
請求項１〜５の何れか一項に記載の車両の後部車体構造。
【請求項７】
上記リヤサスペンションのダンパ支持補強部材を介して上記第１環状構造部と上記第４環状構造部との下端同士が前後方向に連結された
請求項６に記載の車両の後部車体構造。
【請求項８】
フロントホイールハウス上部にフロントサスペンションのダンパ支持部を備え、
当該ダンパ支持部の近傍に、少なくともフロントサスペンションタワー部、サブフレーム、カウルクロスメンバを含む閉断面部から成り車幅方向において環状となる第５環状構造部が形成され、
ドア開口部周囲に閉断面部から成り車両側面視で前後方向において環状となる第６環状構造部が形成され、
当該第６環状構造部の後部は、上記第３環状構造部に対してその上部がルーフサイドレールを介して連結されると共に、その下部がリヤサイドフレームを介して連結された
請求項１〜７の何れか一項に記載の車両の後部車体構造。
【発明の詳細な説明】
【技術分野】
【０００１】
この発明は、車体後部に、閉断面部、または、車体パネルより厚板の厚板部にて車幅方向の環状構造部が形成されたような車両の後部車体構造に関する。
【背景技術】
【０００２】
従来、上述例の車両の後部車体構造としては、特許文献１に開示されたものがある。  
すなわち、リヤホイールハウス上部にリヤサスペンションのダンパ支持部を備え、フロアパネルとフロアクロスメンバとで車幅方向に延びる車体下壁部の閉断面部を形成し、リヤピラーインナ、内側リヤピラーレイン、および外側リヤピラーレインの三者で上下方向に延びる左右の両側壁部の閉断面部を形成し、ルーフパネルとルーフレインとで車幅方向に延びる上壁部の閉断面部を形成し、これらの各閉断面部を車幅方向において環状に連結した環状構造部を、車体後部に形成したものにおいて、上述の内側リヤピラーレインが、リヤピラーインナの上記ダンパ支持部よりも前方側に配置されるフロアクロスメンバと、リヤドア口縁の後部に沿って配設される外側リヤピラーレインと、を連結した構造である。
【０００３】
この特許文献１に開示された従来構造は、車体後部に、車幅方向の環状構造部を形成するものであるが、内側リヤピラーレインがリヤサスペンションのダンパ支持部に対して車両前後方向の前方側に離間している関係上、車体後部の剛性を効率的に向上させることができず、車体後部の剛性向上の点で、改善の余地があった。
【先行技術文献】
【特許文献】
【０００４】
【特許文献１】特開２０１６−１０７７８９号公報
【発明の概要】
【発明が解決しようとする課題】
【０００５】
そこで、この発明は、車両後部の車体剛性を確実に向上させることができる車両の後部車体構造の提供を目的とする。
【課題を解決するための手段】
【０００６】
この発明による車両の後部車体構造は、リヤサスペンションのダンパ支持部を備え、上記リヤサスペンションのダンパ支持部の前側近傍に配設される車体下壁部、左右の両側壁部、上壁部を連続させて車幅方向において環状となる第１環状構造部と、リヤゲート開口部の周縁部に配設される車体下壁部、左右の両側壁部、上壁部を連続させて車幅方向において環状となる第２環状構造部と、上記第１および第２の環状構造部の一部を併用し、これら両環状構造部の上部間同士および下部間同士を連結させて車両前後方向において環状となる第３環状構造部と、を備え、上記各環状構造部は、閉断面部、または、車体パネルより厚板の厚板部にて形成されたものである。
【０００７】
上記構成によれば、リヤサスペンションのダンパ支持部の前側近傍の第１環状構造部と、リヤゲート開口部周縁部の第２環状構造部とを、車両前後方向において環状となる第３環状構造部にて連結させたので、車両後部の車体剛性を確実に向上させることができる。
【０００８】
この発明の一実施態様においては、上記第１環状構造部が、フロアパネルおよびフロアクロスメンバから成り車幅方向に延びる車体下壁部と、リヤホイールハウス、第１ブレース部材および中間ピラーから成り上下方向に延びる側壁部と、ルーフパネルおよびルーフレインから成り車幅方向に延びる上壁部と、で構成されたものである。  
上記構成によれば、特別に大きな専用の部材を別途用いることなく、上記第１環状構造部を形成することができる。
【０００９】
この発明の一実施態様においては、上記第２環状構造部が、リヤエンドパネルおよびリヤエンドクロスメンバから成り車幅方向に延びる車体下壁部と、リヤピラーから成り上下方向に延びる側壁部と、ルーフパネルおよびリヤヘッダから成り車幅方向に延びる上壁部と、で構成されたものである。  
上記構成によれば、特別に大きな専用の部材を別途用いることなく、上記第２環状構造部を形成することができる。
【００１０】
この発明の一実施態様においては、上記リヤサスペンションのダンパ支持部の後側近傍に配設されフロアパネルと第２のフロアクロスメンバから成り車幅方向に延びる車体下壁部と、リヤホイールハウス、サイドパネルおよび第２ブレース部材から成り上下方向に延びる側壁部と、ルーフパネルおよびリヤヘッダから成り車幅方向に延びる上壁部と、を連続させて車幅方向において環状となる第４環状構造部を備え、該第４環状構造部は、閉断面部、または、車体パネルより厚板の厚板部にて形成されたものである。  
上記構成によれば、リヤサスペンションのダンパ支持部の前側近傍および後側近傍に、第１環状構造部と第４環状構造部とを備えたので、車両後部の車体剛性を確実に向上させることができる。
【００１１】
この発明の一実施態様においては、上記第１環状構造部と上記第２環状構造部の上端同士は、ルーフサイドレールで前後方向に連結され、下端同士は、リヤサイドフレームを含む閉断面部と、リヤサイドフレーム後端と第２環状構造部の車体下壁部を連結するリヤバンパレイン取付け補強部材と、を介して前後方向に連結されたものである。
【００１２】
上記構成によれば、リヤバンパレイン取付け補強部材によりリヤサイドフレーム後端と第２環状構造部の車体下壁部とを連結したので、リヤゲート開口部のさらなる剛性向上を図ることができる。  
また、上記リヤバンパレイン取付け補強部材にて上記第３環状構造部の一部を補強することができる。  
さらに、第１環状構造部と第２環状構造部との上端同士および下端同士を、通常のルーフサイドレールやリヤサイドフレームを用いて連結することができる。
【００１３】
この発明の一実施態様においては、上記リヤサスペンションのダンパ支持部がリヤサイドフレームに配設されており、当該ダンパ支持部を補強するリヤサスペンションのダンパ支持補強部材が、リヤサイドフレーム上面のフロア部に接合されたものである。  
上記構成によれば、次のような効果がある。
【００１４】
すなわち、ダンパ支持部が、仮に、リヤサイドフレームの上方かつ車幅方向外方にオフセットしたリヤホイールハウス上部に設けられていると、後突または側突の荷重入力時に、ダンパ支持部に対してモーメントが働くことになるが、上述のように、ダンパ支持部がリヤサイドフレームそれ自体に設けられているので、斯るモーメントの発生を抑止して、衝突荷重入力を最小限に抑制することができる。
【００１５】
この発明の一実施態様においては、上記リヤサスペンションのダンパ支持補強部材を介して上記第１環状構造部と上記第４環状構造部との下端同士が前後方向に連結されたものである。  
上記構成によれば、リヤサスペンションのダンパ支持補強部材を用いて、第１環状構造部の下部と、第４環状構造部の下部とを連結することができると共に、当該ダンパ支持補強部材にて、第１環状構造部の下部と、第２環状構造部の下部との間の一部を補強することができる。よって、車両後部の車体剛性をさらに確実に向上させることができる。
【００１６】
この発明の一実施態様においては、フロントホイールハウス上部にフロントサスペンションのダンパ支持部を備え、当該ダンパ支持部の近傍に、少なくともフロントサスペンションタワー部、サブフレーム、カウルクロスメンバを含む閉断面部から成り車幅方向において環状となる第５環状構造部が形成され、ドア開口部周囲に閉断面部から成り車両側面視で前後方向において環状となる第６環状構造部が形成され、当該第６環状構造部の後部は、上記第３環状構造部に対してその上部がルーフサイドレールを介して連結されると共に、その下部がリヤサイドフレームを介して連結されたものである。
【００１７】
上記構成によれば、第６環状構造部の後部が、ルーフサイドレールおよびリヤサイドフレームを介して上記第３環状構造部に連結されており、さらに、フロントサスペンションのダンパ支持部の近傍には、上述の第５環状構造部を備えているので、車体全体のねじれ剛性が向上し、操縦安定性を確保することができる。
【発明の効果】
【００１８】
この発明によれば、車両後部の車体剛性を確実に向上させることができる効果がある。
【図面の簡単な説明】
【００１９】
【図１】本発明の車両の後部車体構造を含む車両全体の車体構造を示す斜視図
【図２】車両の後部車体構造を示す斜視図
【図３】同車体構造を荷室内側から見た状態で示す側面図
【図４】車両の後部車体構造を車両後方から見た状態で示す斜視図
【図５】車体外板を取外し車両右側の後部車体構造を車外側から見た状態で示す側面図
【図６】図２のＡ−Ａ線に沿う要部の矢視断面図
【図７】図２のＢ−Ｂ線に沿う要部の矢視断面図
【図８】図２のＣ−Ｃ線に沿う要部の矢視断面図
【図９】図３のＤ−Ｄ線矢視断面図
【図１０】図３のＥ−Ｅ線矢視断面図
【図１１】図３のＧ−Ｇ線矢視断面図
【図１２】車両の後部車体構造を示す部分底面図
【図１３】各環状構造部を示す斜視図
【発明を実施するための形態】
【００２０】
車両後部の車体剛性を確実に向上させるという目的を、車両の後部車体構造であって、リヤサスペンションのダンパ支持部を備え、上記リヤサスペンションのダンパ支持部の前側近傍に配設される車体下壁部、左右の両側壁部、上壁部を連続させて車幅方向において環状となる第１環状構造部と、リヤゲート開口部の周縁部に配設される車体下壁部、左右の両側壁部、上壁部を連続させて車幅方向において環状となる第２環状構造部と、上記第１および第２の環状構造部の一部を併用し、これら両環状構造部の上部間同士および下部間同士を連結させて車両前後方向において環状となる第３環状構造部と、を備え、上記各環状構造部は、閉断面部、または、車体パネルより厚板の厚板部にて形成されるという構成にて実現した。
【実施例】
【００２１】
この発明の一実施例を以下図面に基づいて詳述する。  
図面は車両の後部車体構造を示し、図１は当該後部車体構造を含む車両全体の車体構造を示す斜視図であり、後部車体構造の説明に先立って、まず、図１を参照して、車両前側の車体構造について説明する。
【００２２】
図１に示すように、エンジンルームと車室とを車両前後方向に仕切るダッシュパネル１を設け、このダッシュパネル１の上部にはカウルアッパパネル２を設けると共に、さらにその前方には後述する左右一対のサスタワー部を車幅方向に連結するカウルクロスメンバアッパ３を設け、上記カウルクロスメンバアッパ３とその下部に接合されたカウルクロスメンバロアとの間には、車幅方向に延びる閉断面部を形成している。  
上記ダッシュパネル１の下部前側にはダッシュクロスメンバ４を接合固定して、ダッシュパネル１とダッシュクロスメンバ４との間にも、車幅方向に延びる閉断面部を形成している。
【００２３】
上述のダッシュパネル１の左右両サイドには、ヒンジピラーインナとヒンジピラーアウタとを接合固定して、車両の上下方向に延びるヒンジピラー閉断面部を有するヒンジピラー５が設けられている。該ヒンジピラー５の上部から車両前方に延びるエプロン６を設けている。このエプロン６はエプロンアウタとエプロンインナとを接合固定して、車両の前後方向に延びるエプロン閉断面部を有している。
【００２４】
上述のダッシュパネル１の左右両側下部から車両前方に延びるフロントサイドフレーム７を設けている。  
このフロントサイドフレーム７は、フロントサイドフレームインナとフロントサイドフレームアウタとを接合固定して、車両の前後方向に延びるフロントサイド閉断面部を有している。
【００２５】
上述のフロントサイドフレーム７の下方部には、フロントサスペンションアーム８ｆを支持するフロントサブフレーム８を設けている。このフロントサブフレーム８は、車幅方向に延びる閉断面構造のサブフレーム本体８ａと、当該サブフレーム本体８ａをフロントサイドフレーム７に連結する閉断面構造のタワー部８ｂと、サブフレーム本体８ａの側部から車両前方に延びるサイドメンバ８ｃと、該サイドメンバ８ｃをフロントサイドフレーム７に連結する車体取付け部材８ｄと、左右一対のサイドメンバ８ｃの前端部相互間を車幅方向に連結する前側クロスメンバ８ｅとを備えている。
【００２６】
また、上述のサイドメンバ８ｃの前端には、セットプレートおよび取付けプレート９を介してクラッシュカン１０を取付けており、左右一対のクラッシュカン１０相互間には、車幅方向に延びるロアバンパビーム１１を横架している。
【００２７】
さらに、上述のエプロン６とフロントサイドフレーム７との間には、フロントホイールハウス１２およびサスタワー部１３を設け、サスタワー部１３はそのトップデッキ部１３ａを含んで車体パネルよりも厚板の厚板部から形成されており、該トップデッキ部１３ａの略中央部には、フロントサスペンションのダンパ支持部１４を形成している。つまり、フロントホイールハウス１２の上部にフロントサスペンションのダンパ支持部１４を備えたものである。
【００２８】
図２は車両の後部車体構造を示す斜視図、図３は同車体構造を荷室内側から見た状態で示す側面図、図４は車両の後部車体構造を車両後方から見た状態で示す斜視図、図５は車体外板を取外して車両右側の後部車体構造を車外側から見た状態で示す側面図、図６は図２のＡ−Ａ線に沿う要部の矢視断面図、図７は図２のＢ−Ｂ線に沿う要部の矢視断面図、図８は図２のＣ−Ｃ線に沿う要部の矢視断面図、図９は図３のＤ−Ｄ線矢視断面図、図１０は図３のＥ−Ｅ線矢視断面図、図１１は図３のＧ−Ｇ線矢視断面図、図１２は車両の後部車体構造を示す部分底面図、図１３は各環状構造部を示す斜視図である。
【００２９】
次に、これらの各図を参照して、車両の後部車体構造について詳述する。  
図２に示すように、上述のダッシュパネル１の下部後端には、車室の床面を形成するフロントフロアパネル１５を、一体または一体的に連設し（但し、図２においては、フロントフロアパネル１５の後側部分の一部のみを示す）、該フロントフロアパネル１５の後端には、上方に立上がるキックアップ部１６を設けている。このキックアップ部１６はフロントフロアパネル１５の後端から上方に立上がった後に、上方立上り部の上端から後方に延びており、当該キックアップ部１６上部には、車幅方向に延びるクロスメンバ１７（いわゆるＮｏ．３クロスメンバ）を取付けて、このクロスメンバ１７とキックアップ部１６との間には、車幅方向に延びる閉断面部を形成している。
【００３０】
図２、図３、図６に示すように、上述のクロスメンバ１７の後部には、リヤシートパン１８およびリヤフロアパン１９を一体または一体的に連設している。  
上述のリヤシートパン１８は、その上方部にリヤシート（後席シート）を搭載するためのリヤフロアであり、また上述のリヤフロアパン１９は荷室床面を形成するためのリヤフロアであって、リヤフロアパン１９の中間部には荷室凹部１９ａが凹設形成されている。
【００３１】
図６に示すように、リヤフロアパン１９の後端折曲げ部１９ｂには、リヤエンドパネル２０を接合固定し、このリヤエンドパネル２０の上部前側には、車幅方向に延びるリヤエンドクロスメンバ２１を接合固定し、リヤエンドパネル２０とリヤエンドクロスメンバ２１との間には、車幅方向に延びるリヤエンド閉断面部２２を形成している。
【００３２】
図３、図６に示すように、リヤシートパン１８の後部と、リヤフロアパン１９の前部との間の上部には、断面ハット形状のクロスメンバアッパ２３（いわゆるＮｏ．４クロスメンバアッパ）を接合固定している。  
同様に、リヤシートパン１８の後部と、リヤフロアパン１９の前部との間の下部には、断面逆ハット形状のクロスメンバロア２５（いわゆるＮｏ．４クロスメンバロア）を接合固定して、上述のクロスメンバアッパ２３と該クロスメンバロア２５との間には、車幅方向に延びる閉断面部２４を形成している。
【００３３】
また、図３、図６に示すように、リヤフロアパン１９の前後方向中間部下面には、断面逆ハット形状で、かつ車幅方向に延びる後部クロスメンバ２７（いわゆるＮｏ．４，５クロスメンバ）を接合固定して、該後部クロスメンバ２７とリヤフロアパン１９との間には、車幅方向に延びる閉断面部２８を形成している。
【００３４】
図２に示すように、上述のリヤシートパン１８およびリヤフロアパン１９の左右両サイドには、リヤサイドフレームアッパ２９とリヤサイドフレームロア３０とを接合固定して、車両の前後方向に延びるリヤサイド閉断面部３１（図１１参照）を備えたリヤサイドフレーム３２を設けている。  
ここで、上述のクロスメンバ１７、クロスメンバアッパ２３、クロスメンバロア２５、後部クロスメンバ２７は、左右のリヤサイドフレーム３２，３２間にわたって車幅方向に設けられたものである。
【００３５】
図１、図１２に示すように、上述のリヤサイドフレーム３２の前端部３２ａは、フロントフロアパネル１５の左右両サイドに設けられたサイドシル３３の後端部３３ｂとオーバラップするように設けられている。  
このサイドシル３３は、サイドシルインナとサイドシルアウタとを接合固定して車両前後方向に延びるサイドシル閉断面部を有する車体強度部材であって、該サイドシル３３はヒンジピラー５の下部と、リヤホイールアーチ前部との間を、車両前後方向に延びるよう構成されている。
【００３６】
図１に示すように、上述のフロントフロアパネル１５の車幅方向中央部には、車室内に突出して車両の前後方向に延びるトンネル部３４が設けられており、同図に示すように、このトンネル部３４とサイドシル３３との間には、車両前後方向に間隔を隔てて前部クロスメンバ３５（いわゆるＮｏ．２クロスメンバ）と、中間クロスメンバ３６（いわゆるＮｏ．２，５クロスメンバ）と、が車幅方向に設けられており、これらの各クロスメンバ３５，３６とフロントフロアパネル１５との間には、車幅方向に延びる閉断面部がそれぞれ形成されている。
【００３７】
一方、図１、図８に示すように、車両前部のフロントヘッダ３７と、車両後部のリヤヘッダ３８（詳しくは、リヤヘッダパネル）との間にはルーフパネル３９を設け、該ルーフパネル３９の左右両サイド下部には、車両の前後方向に延びる閉断面構造のルーフサイドレール４０，４０を設けている。
【００３８】
車両前部のフロントヘッダ３７は、左右のルーフサイドレール４０，４０の前端部相互間を車幅方向に延びて連結すると共に、ルーフパネル３９の前部下面に接着固定され、ルーフパネル３９とフロントヘッダ３７との間には閉断面部が形成されている。
【００３９】
車両後部のリヤヘッダ３８は、図８に示すように、上片部３８ａと、この上片部３８ａの後端から後方かつ下方に延びる前片部３８ｂと、前片部３８ｂの下端から後方に延びる下片部３８ｃと、下片部３８ｃの後端から上方に延びる後片部３８ｄと、を一体に折曲げ形成したもので、当該リヤヘッダ３８の上部にはリヤヘッダレイン４１Ｆ，４１Ｒを連結固定すると共に、リヤヘッダ３８にはルーフパネル３９の後端部を接着固定している。
【００４０】
ルーフパネル３９の後端部は、図８に示すように、ルーフパネル本体３９ａの後端から下方に延びる前片部３９ｂと、前片部３９ｂの下端から後方に延びる水平部３９ｃと、水平部３９ｃの後端から下方に延びる縦壁部３９ｄと、縦壁部３９ｄの下端から後方に延びる下片部３９ｅと、下片部３９ｅの後端から上方に延びる後片部３９ｆとを一体に折曲げ形成したものである。
【００４１】
そして、リヤヘッダ３８の上片部３８ａをルーフパネル３９のルーフパネル本体３９ａに接着固定すると共に、リヤヘッダ３８の後片部３８ｄをルーフパネル３９の後片部３９ｆに接着固定している。また、リヤヘッダ３８とリヤヘッダレイン４１Ｆとの間には、車幅方向に延びるリヤヘッダ閉断面部４２を形成している。
【００４２】
図１で示した上述のルーフサイドレール４０は、ルーフサイドレールアウタとルーフサイドレールインナとを接合固定して、車両の前後方向に延びるルーフサイド閉断面部を有するもので、この実施例ではルーフサイドレール４０を車両の前後方向に複数分割している。図４、図５では、ルーフサイドレール４０の中間レイン４３とリヤレイン４４とを示している。  
図１に示すように、車両前部のフロントヘッダ３７と、車両後部のリヤヘッダ３８との間には、車両前後方向に間隔を隔てて複数のルーフレイン４５，４６，４７を設けている。
【００４３】
これらの各ルーフレイン４５〜４７は左右のルーフサイドレール４０，４０間に車幅方向にわたって架け渡されたレインフォースメントであって、各ルーフレイン４５〜４７はルーフパネル３９の下面に接着固定されていて、ルーフパネル３９と各ルーフレイン４５〜４７との間には、それぞれルーフレイン閉断面部が形成されている。
【００４４】
ルーフレイン４５〜４７のうち最も車両後方側のルーフレイン４７は、図８に示すように、断面逆ハット形状に形成されており、当該ルーフレイン４７とルーフパネル３９との間には、車幅方向に延びるルーフレイン閉断面部４８が形成されている。
【００４５】
図１に示すように、ヒンジピラー５の上端部と、ルーフサイドレール４０の前端部との間には、ヒンジピラー５から上方かつ後方に延びるフロントピラー５０（いわゆるＡピラー）で連結されている。このフロントピラー５０は、フロントピラーインナとフロントピラーアウタとを接合固定し、その長手方向に延びるフロントピラー閉断面部を有するものである。
【００４６】
また、図１に示すように、ルーフサイドレール４０の前後方向中間下面部と、サイドシル３３の前後方向中間上面部とを、車両の上下方向に延びるセンタピラー５１（いわゆるＢピラー）で連結している。このセンタピラー５１は、センタピラーインナとセンタピラーアウタとを接合固定し、上下方向に延びるセンタピラー閉断面部を有するものである。  
さらに、図１、図４、図５に示すように、ルーフサイドレール４０の後部とサイドシル３３の後部とを、車両の略上下方向に延びる中間ピラー５２（いわゆるＣピラー）で連結している（なお、中間ピラー５２の詳細構造については後述する）。
【００４７】
図１に示すように、ヒンジピラー５と、フロントピラー５０と、ルーフサイドレール４０と、センタピラー５１と、サイドシル３３とで囲繞された空間を、フロントドア開口５３に設定し、センタピラー５１と、ルーフサイドレール４０と、中間ピラー５２と、サイドシル３３とで囲繞された空間を、リヤドア開口５４に設定している。  
上述の中間ピラー５２は、リヤドア開口５４の後側口縁に沿って設けられたものである。
【００４８】
図２のＢ−Ｂ線に沿う要部の矢視断面図を、図７に示すように、リヤサイドフレーム３２の後端部には、リヤエンドクロスメンバ２１のリヤエンド閉断面部２２形成部位から下方に垂下する垂下部２１ａと、リヤエンドパネル２０のリヤエンド閉断面部２２形成部位から下方に垂下する垂下部２０ａと、セットプレート５５と、を介してリヤバンパレイン５６が取付けられており、左右一対のリヤバンパレイン５６相互間には、車幅方向に延びるリヤバンパビーム５７を横架している。
【００４９】
このリヤバンパビーム５７は、リヤバンパビーム本体５７ａと、当該リヤバンパビーム本体５７ａの開放側を閉塞するクロージングプレート５７ｂとから成り、これら両者間には、車幅方向に延びるリヤバンパ閉断面部５７ｃが形成されている。  
図７に示すように、上述のリヤエンド閉断面部２２が形成される部位のリヤエンドクロスメンバ２１とリヤエンドパネル２０との間には、リヤエンドレイン５８が設けられている。
【００５０】
図３のＥ−Ｅ線矢視断面図である図１０と、図４とに示すように、リヤエンドパネル２０の側端上部と、リヤエンドレイン５８の側端上部と、リヤエンドクロスメンバ２１の側端上部とに、それぞれ一体または一体的に連続するリヤエンド側部パネル５９、リヤエンド側部レイン６０、リヤエンド側部クロスメンバ６１を設け、これら三者によりリヤエンドピラー６２を形成すると共に、リヤエンド側部レイン６０とリヤエンド側部クロスメンバ６１との間には、上述のリヤエンド閉断面部２２と連続する閉断面部６３が形成されている。
【００５１】
図３、図４、図５に示すように、上述のリヤヘッダ３８の車幅方向側部と、リヤエンドピラー６２との間には、閉断面構造のリヤピラー６４（いわゆるＤピラー）が連結されている。そして、上述のリヤヘッダ３８と、リヤピラー６４と、リヤエンドピラー６２と、リヤエンドクロスメンバ２１およびリヤエンドパネル２０と、でリヤゲート開口部としての後部荷室開口６５を形成している（図４参照）。
【００５２】
図９に示すように、上述のリヤピラー６４はリヤピラーインナ６６と、リヤピラーアウタ６７と、リヤピラーレイン６８とを接合固定して形成されており、リヤピラーレイン６８とリヤピラーインナ６６との間には、図１０で示した閉断面部６３と連続するリヤピラー閉断面部６９が形成されている。  
図１０に示すように、サイドパネルを形成するリヤホイールハウスアウタ７０と、リヤホイールハウスインナ７１とで、リヤホイールハウス７２を形成している。
【００５３】
図１０、図３に示すように、リヤホイールハウスアウタ７０には、当該リヤホイールハウスアウタ７０と一体にサイドパネルインナロア７３を連設形成し、このサイドパネルインナロア７３の上部には、サイドパネルインナアッパ７４を連結固定しており、これらサイドパネルインナロア７３とサイドパネルインナアッパ７４との両者で、サイドパネル７５を形成している。  
図９に示すように、上述のサイドパネルインナアッパ７４の後上部７４ａは、リヤピラー６４の車幅方向外端折曲げ部６４ａに連結されている。
【００５４】
図１１に示すように、リヤサイドフレーム３２には、リヤサスペンションのダンパ支持部７６が配設されている。同図に示すように、該ダンパ支持部７６は、ダンパスプリング７７を備えたリヤサスペンションダンパ７８の上端部を支持するものであり、当該ダンパ支持部７６は、天板部（いわゆるトップデッキ部）を有する楕円筒形状に形成されており、図３に点線で示すように、クロスメンバアッパ２３およびクロスメンバロア２５と、後部クロスメンバ２７との間におけるリヤサイドフレーム３２に設けられたものである。
【００５５】
図１１、図１２に示すように、該リヤサイドフレーム３２のリヤサイドフレームロア３０は、ダンパ支持部７６の配設部位の後方部から外側部３０Ａと内側部３０Ｂとに二股状に分岐し、ダンパ支持部７６の配設部位の前方部にて収束するよう構成されており、図１１に示すように、上述のダンパ支持部７６の車幅方向外側のスカート部７６ａは、外側部３０Ａの車幅方向内側部３０ａに固定されており、ダンパ支持部７６の車幅方向内側のスカート部７６ｂは、内側部３０Ｂの車幅方向外側部３０ｂに固定されている。
【００５６】
図１１に示すように、リヤサイドフレーム３２のリヤサイドフレームアッパ２９における車幅方向外側のフランジ部２９ａは、リヤホイールハウスインナ７１下部のアウタパネル７９に接合固定されており、リヤサイドフレームロア３０の外側部３０Ａの車幅方向外側部３０ｃは、上記アウタパネル７９の下部に接合固定されている。
【００５７】
ところで、図３、図４、図５に示すように、上述の中間ピラー５２（いわゆるＣピラー）は、中間ピラーインナ５２ａ（図３参照）と、次に述べる中間ピラーレインとで当該中間ピラー５２の長手方向に沿う閉断面部を形成したもので、中間ピラーインナ５２ａの車幅方向外側の面には、中間ピラー上部レイン５２ｂ、中間ピラー中間部レイン５２ｃ、中間ピラー下部レイン５２ｄを接合固定している。
【００５８】
図４、図５に示すように、中間ピラー上部レイン５２ｂは、リヤドア開口５４の後側上部口縁と、クオータウインド用の開口部８０の前縁との間に位置しており、中間ピラー中間部レイン５２ｃはサイドパネルインナアッパ７４、サイドパネルインナロア７３、リヤホイールハウスアウタ７０の前上部に接合固定されており、中間ピラー下部レイン５２ｄはリヤホイールハウスアウタ７０の前縁部に接合固定されている。
【００５９】
図９、図１０に示すように、中間ピラーインナ５２ａと、中間ピラー上部レイン５２ｂ、中間ピラー中間部レイン５２ｃ、中間ピラー下部レイン５２ｄから成る中間ピラーレイン５２ｅと、の間には、中間ピラー５２の長手方向に沿う閉断面部８１が形成されている。
【００６０】
図４、図５では図示省略したが、図９、図１０に示すように、リヤエンド側部パネル５９およびリヤピラーアウタ６７の外縁部からリヤホイールハウスアウタ７０の下縁部乃至中間ピラー５２の前縁部にわたる後部車体の全体は、クオータウインド用の開口部８０を除いて、車体外板としてのサイドフレームアウタ８２にて覆われている。  
図２、図３に示すように、中間ピラー５２における中間ピラー上部レイン５２ｂ配設部位の下部とクロスメンバアッパ２３の上部とを、リヤドア開口５４の後縁に沿って上下方向に連結すべく第１ブレース部材８３を設けている。
【００６１】
この第１ブレース部材８３は、図１０にも示すように、その長手方向と直交する断面が略ハット形状であり、その前側、後側、上側に位置する接合フランジ部が、リヤホイールハウスインナ７１、サイドパネルインナアッパ７４にそれぞれ接合固定されていて、当該第１ブレース部材８３と各要素７１，７４との間には、上下方向に延びる閉断面部８４（図１０参照）が形成されている。この第１ブレース部材８３はダンパ支持部７６の前方に配設されている。  
上述のダンパ支持部７６の後方において、リヤピラー６４の上端部とリヤサイドフレーム３２とを上下方向に連結するように第２ブレース部材８５を設けている。
【００６２】
この第２ブレース部材８５は、図９、図１０にも示すように、その長手方向と直交する断面がハット形状であり、その前後両側に位置する接合フランジ部が、リヤホイールハウスインナ７１、サイドパネルインナアッパ７４にそれぞれ接合固定されていて、当該第２ブレース部材８５と各要素７１，７４との間には、上下方向に延びる閉断面部８６が形成されている。
【００６３】
一方、図２、図３、図４、図１１に示すように、リヤサイドフレーム３２上面のフロア部、詳しくは、リヤサイドフレームアッパ２９の上面部には、リヤサスペンションのダンパ支持補強部材８７が固定されている。  
このリヤサスペンションのダンパ支持補強部材８７はアルミダイカストにて形成されている。
【００６４】
特に、図４に示すように、当該ダンパ支持補強部材８７は、その前部に位置して第１ブレース部材８３の下部およびクロスメンバアッパ２３の車幅方向端部を一体的に補強する第１補強部８７ａと、その後部に位置して第２ブレース部材８５の下部を補強する第２補強部８７ｂと、第１補強部８７ａと第２補強部８７ｂとを車両の前後方向に連結する外側壁部８７ｃ、上壁部８７ｄおよびリヤサイドフレームアッパ２９の形状に沿って上壁部８７ｄから斜め下方に延びる下壁部８７ｅと、を一体形成したもので、対応する車体に対して、ボルト、ナットやリベット等の取付け部材を用いて、固定されている。
【００６５】
さらに、図２、図７に示すように、リヤサイドフレーム３２とリヤエンドクロスメンバ２１の垂下部２１ａとが、リヤバンパレイン取付け補強部材としてのリヤバンパブラケットアッパ８８、リヤバンパブラケットロア８９を介して連結されている。
【００６６】
特に、図２、図７に示すように、リヤバンパブラケットアッパ８８は、リヤエンドクロスメンバ２１の垂下部２１ａと、リヤエンドパネル２０の垂下部２０ａと、セットプレート５５とにボルト、ナット等の締結部材を用いて共締め固定される立設状の後壁部８８ａと、リヤサイドフレームアッパ２９の後端形状に沿うハット形状部８８ｂとを一体形成したもので、ハット形状部８８ｂはリヤサイドフレームアッパ２９に接合固定され、後壁部８８ａは上記各要素２１，２０，５５に上記締結部材を用いて共締め固定されるものである。  
なお、図２において、９０はリヤシートパン１８を補強するためのＶブレース（平面視でＶ字形状のブレース部材）、９１はリヤサイドパネル、９２はフロアサイドパネルである。
【００６７】
つぎに、図１３等を参照して環状構造部（いわゆる環状車体骨格）について説明するが、当該環状構造部は、閉断面部、または、車体パネルよりも厚板の厚板部にて形成されている。  
図１３に示すように、ダンパ支持部７６（図１１参照）の前側近傍に配設されて車幅方向に延びる車体下壁部Ｈと、車両の上下方向に延びる左右の両側壁部Ｉと、車体上部において車幅方向に延びる上壁部Ｊと、を連続させて車両正面視で車幅方向において環状となる第１環状構造部Ｚ１を構成している。
【００６８】
上述の第１環状構造部Ｚ１は、リヤフロアパン１９、クロスメンバアッパ２３、クロスメンバロア２５から成り車幅方向に延びる閉断面部２４（図６参照）による車体下壁部Ｈと、リヤホイールハウス７２、第１ブレース部材８３および中間ピラー５２から成り上下方向に延びる閉断面部８４，８１（図１０、図９参照）による側壁部Ｉと、ルーフパネル３９およびルーフレイン４７から成り車幅方向に延びる閉断面部４８（図８参照）による上壁部Ｊと、で構成されている。
【００６９】
また、図４、図１３に示すように、リヤゲート開口部としての後部荷室開口６５の周縁部に配設されて車幅方向に延びる車体下壁部Ｋと、車両の上下方向に延びる左右の両側壁部Ｌと、車体上部において車幅方向に延びる上壁部Ｍと、を連続させて車両正面視で車幅方向において環状となる第２環状構造部Ｚ２を構成している。
【００７０】
上述の第２環状構造部Ｚ２は、リヤエンドパネル２０およびリヤエンドクロスメンバ２１から成り車幅方向に延びる閉断面部２２（図６参照）による車体下壁部Ｋと、リヤピラー６４およびリヤエンドピラー６２から成り上下方向に延びる閉断面部６９，６３（図９、図１０参照）による側壁部Ｌと、ルーフパネル３９およびリヤヘッダ３８から成り車幅方向に延びる閉断面部４２（図８参照）による上壁部Ｍと、で構成されている。
【００７１】
さらに、図１３に示すように、第１環状構造部Ｚ１の一部である側壁部Ｉと第２環状構造部Ｚ２の一部である側壁部Ｌとを併用し、これら第１および第２の両環状構造部Ｚ１，Ｚ２の上部間同士および下部間同士を連結させて車両前後方向において環状となる第３環状構造部Ｚ３を構成している。
【００７２】
ここで、第１環状構造部Ｚ１と第２環状構造部Ｚ２の上端同士は、閉断面部を有するルーフサイドレール４０で車両の前後方向に連結されており、第１環状構造部Ｚ１と第２環状構造部Ｚ２の下端同士は、リヤサイドフレーム３２を含む閉断面部３１（図１１参照）と、リヤサイドフレーム３２後端と第２環状構造部Ｚ２の車体下壁部Ｋを連結するリヤバンパレイン取付け補強部材としてのリヤバンパブラケットアッパ８８と、を介して車両前後方向に連結している。
【００７３】
このように、リヤサスペンションのダンパ支持部７６（図１１参照）の前側近傍の第１環状構造部Ｚ１と、後部荷室開口６５の周縁部の第２環状構造部Ｚ２とを、車両前後方向において環状となる第３環状構造部Ｚ３にて連結させ、これにより、車両後部の車体剛性を確実に向上すべく構成したものである。
【００７４】
また、リヤサスペンションのダンパ支持部７６（図１１参照）の後側近傍に配設されて車幅方向に延びる車体下壁部Ｎと、車両の上下方向に延びる左右の両側壁部Ｐと、車体上部において車幅方向に延びる上壁部Ｍと、を連続させて車両正面視で車幅方向において環状となる第４環状構造部Ｚ４を構成している。  
上述の第４環状構造部Ｚ４の上壁部Ｍは、第２環状構造部Ｚ２の上壁部Ｍを兼用するものである。
【００７５】
また、上述の第４環状構造部Ｚ４は、リヤフロアパン１９および第２のフロアクロスメンバである後部クロスメンバ２７（図６参照）から成り車幅方向に延びる閉断面部２８（図６参照）による車体下壁部Ｎと、リヤホイールハウス７２、サイドパネル７５および第２ブレース部材８５から成り上下方向に延びる閉断面部８６（図９、図１０参照）による側壁部Ｐと、ルーフパネル３９およびリヤヘッダ３８から成り車幅方向に延びる閉断面部４２（図８参照）による上壁部Ｍと、で構成されている。
【００７６】
つまり、車両正面視で車幅方向において環状となる第１環状構造部Ｚ１と第４環状構造部Ｚ４とは、部分的に併用することなく、それぞれ独立して構成されたものである。  
このように、リヤサスペンションのダンパ支持部７６の前側近傍および後側近傍に、第１環状構造部Ｚ１と第４環状構造部Ｚ４とを備えることで、車両後部の車体剛性を確実に向上させるよう構成したものである。
【００７７】
図３、図１１に示すように、上記リヤサスペンションのダンパ支持部７６は、リヤサイドフレーム３２に配設されており、当該ダンパ支持部７６を補強するリヤサスペンションのダンパ支持補強部材８７が、リヤサイドフレーム３２上面のフロア部、詳しくは、リヤサイドフレームアッパ２９の上面部に、ボルト、ナットやリベット等の締結部材を用いて接合固定されている。
【００７８】
ダンパ支持部を、仮に、リヤサイドフレームの上方かつ車幅方向外方にオフセットしたリヤホイールハウス上部に設けると、後突または側突の荷重入力時に、ダンパ支持部に対してモーメントが働くことになるが、図３、図１１で示したように、上記ダンパ支持部７６をリヤサイドフレーム３２それ自体に設けることで、斯るモーメントの発生を抑止して、衝突荷重入力を最小限に抑制するよう構成したものであり、かつ、ダンパ支持部７６をアルミダイカスト製のダンパ支持補強部材８７にて、確実に補強すべく構成したものである。
【００７９】
また、図１３に示すように、リヤサスペンションのダンパ支持補強部材８７を介して上述の第１環状構造部Ｚ１と上述の第４環状構造部Ｚ４との下端同士を車両前後方向に連結させており、これにより、上記ダンパ支持補強部材８７にて第１環状構造部Ｚ１の下部と、第４環状構造部Ｚ４の下部とを連結することができると共に、図１３からも明らかなように、当該ダンパ支持補強部材８７にて、第１環状構造部Ｚ１の下部と第２環状構造部Ｚ２の下部との間の一部を、補強し、よって、車両後部の車体剛性をより一層確実に向上させるよう構成したものである。
【００８０】
一方で、図１に示すように、フロントホイールハウス１２の上部にフロントサスペンションのダンパ支持部１４を備えており、当該ダンパ支持部１４の近傍に、車両正面視で車幅方向において環状となる第５環状構造部Ｚ５が形成され、また、フロントドア開口５３、リヤドア開口５４の周囲に車両側面視で前後方向において環状となる第６環状構造部Ｚ６が形成されており、上述の中間ピラー５２を兼用して、第１環状構造部Ｚ１と第６環状構造部Ｚ６とが連結されている。
【００８１】
図１に示すように、上述の第５環状構造部Ｚ５は、厚板部から成るサスタワー部１３およびそのトップデッキ部１３ａと、フロントサイドフレーム７に連結された閉断面構造のタワー部８ｂと、車幅方向に延びるサブフレーム本体８ａと、カウルクロスメンバアッパ３および図示しないカウルクロスメンバロアにて形成され車幅方向に延びる閉断面部と、から構成されている。
【００８２】
また、図１に示すように、上述の第６環状構造部Ｚ６は、上下方向に延びる閉断面構造のヒンジピラー５と、上方かつ後方に斜め方向に延びる閉断面構造のフロントピラー５０と、車体上部において前後方向に延びる閉断面構造のルーフサイドレール４０と、上記閉断面構造の中間ピラー５２と、車体下部において前後方向に延びる閉断面構造のサイドシル３３と、から構成されている。
【００８３】
さらに、図１３に示すように、上述の第６環状構造部Ｚ６の後部は、第３環状構造部Ｚ３に対して、その上部が閉断面構造のルーフサイドレール４０を介して連結されると共に、その下部が閉断面構造のリヤサイドフレーム３２を介して連結されており、これにより、車体全体のねじれ剛性の向上を図り、操縦安定性を確保すべく構成したものである。
【００８４】
また、車体上部においては、フロントピラー５０からリヤピラー６４にかけて、車体下部においては、ヒンジピラー５からリヤエンドパネル２０、リヤエンドクロスメンバ２１にかけての車体全体の剛性向上を図るよう構成したものである。  
なお、図中、矢印Ｆは車両前方を示し、矢印Ｒは車両後方を示し、矢印ＩＮは車幅方向の内方を示し、矢印ＯＵＴは車幅方向の外方を示し、矢印ＵＰは車両上方を示す。
【００８５】
このように、上記実施例の車両の後部車体構造は、リヤサスペンションのダンパ支持部７６を備え、上記リヤサスペンションのダンパ支持部７６の前側近傍に配設される車体下壁部Ｈ、左右の両側壁部Ｉ、上壁部Ｊを連続させて車幅方向において環状となる第１環状構造部Ｚ１と、リヤゲート開口部（後部荷室開口６５）の周縁部に配設される車体下壁部Ｋ、左右の両側壁部Ｌ、上壁部Ｍを連続させて車幅方向において環状となる第２環状構造部Ｚ２と、上記第１および第２の環状構造部Ｚ１，Ｚ２の一部を併用し、これら両環状構造部Ｚ１，Ｚ２の上部間同士および下部間同士を連結させて車両前後方向において環状となる第３環状構造部Ｚ３と、を備え、上記各環状構造部Ｚ１〜Ｚ３は、閉断面部、または、車体パネルより厚板の厚板部にて形成されたものである（図１１、図１３参照）。
【００８６】
この構成によれば、リヤサスペンションのダンパ支持部７６の前側近傍の第１環状構造部Ｚ１と、リヤゲート開口部（後部荷室開口６５）周縁部の第２環状構造部Ｚ２とを、車両前後方向において環状となる第３環状構造部Ｚ３にて連結させたので、車両後部の車体剛性を確実に向上させることができる。
【００８７】
また、この発明の一実施形態においては、上記第１環状構造部Ｚ１が、フロアパネル（リヤフロアパン１９）およびフロアクロスメンバ（クロスメンバアッパ２３，クロスメンバロア２５）から成り車幅方向に延びる車体下壁部Ｈと、リヤホイールハウス７２、第１ブレース部材８３および中間ピラー５２から成り上下方向に延びる側壁部Ｉと、ルーフパネル３９およびルーフレイン４７から成り車幅方向に延びる上壁部Ｊと、で構成されたものである（図６、図８、図９、図１０参照）。  
この構成によれば、特別に大きな専用の部材を別途用いることなく、上記第１環状構造部Ｚ１を形成することができる。
【００８８】
さらに、この発明の一実施形態においては、上記第２環状構造部Ｚ２が、リヤエンドパネル２０およびリヤエンドクロスメンバ２１から成り車幅方向に延びる車体下壁部Ｋと、リヤピラー６４から成り上下方向に延びる側壁部Ｌと、ルーフパネル３９およびリヤヘッダ３８から成り車幅方向に延びる上壁部Ｍと、で構成されたものである（図６、図８、図９参照）。  
この構成によれば、特別に大きな専用の部材を別途用いることなく、上記第２環状構造部Ｚ２を形成することができる。
【００８９】
さらにまた、この発明の一実施形態においては、上記リヤサスペンションのダンパ支持部７６の後側近傍に配設されフロアパネル（リヤフロアパン１９）と第２のフロアクロスメンバ（後部クロスメンバ２７）から成り車幅方向に延びる車体下壁部Ｎと、リヤホイールハウス７２、サイドパネル７５および第２ブレース部材８５から成り上下方向に延びる側壁部Ｐと、ルーフパネル３９およびリヤヘッダ３８から成り車幅方向に延びる上壁部Ｍと、を連続させて車幅方向において環状となる第４環状構造部Ｚ４を備え、該第４環状構造部Ｚ４は、閉断面部、または、車体パネルより厚板の厚板部にて形成されたものである（図６、図８、図９、図１０、図１１、図１３参照）。  
この構成によれば、リヤサスペンションのダンパ支持部７６の前側近傍および後側近傍に、第１環状構造部Ｚ１と第４環状構造部Ｚ４とを備えたので、車両後部の車体剛性を確実に向上させることができる。
【００９０】
加えて、この発明の一実施形態においては、上記第１環状構造部Ｚ１と上記第２環状構造部Ｚ２の上端同士は、ルーフサイドレール４０で前後方向に連結され、下端同士は、リヤサイドフレーム３２を含む閉断面部３１と、リヤサイドフレーム３２後端と第２環状構造部Ｚ２の車体下壁部Ｋを連結するリヤバンパレイン取付け補強部材（リヤバンパブラケットアッパ８８）と、を介して前後方向に連結されたものである（図７、図１１、図１３参照）。
【００９１】
この構成によれば、リヤバンパレイン取付け補強部材（リヤバンパブラケットアッパ８８）によりリヤサイドフレーム３２後端と第２環状構造部Ｚ２の車体下壁部Ｋとを連結したので、リヤゲート開口部（後部荷室開口６５）のさらなる剛性向上を図ることができる。  
また、上記リヤバンパレイン取付け補強部材（リヤバンパブラケットアッパ８８）にて上記第３環状構造部Ｚ３の一部を補強することができる。  
さらに、第１環状構造部Ｚ１と第２環状構造部Ｚ２との上端同士および下端同士を、通常のルーフサイドレール４０やリヤサイドフレーム３２を用いて連結することができる。
【００９２】
この発明の一実施形態においては、上記リヤサスペンションのダンパ支持部７６がリヤサイドフレーム３２に配設されており、当該ダンパ支持部７６を補強するリヤサスペンションのダンパ支持補強部材８７が、リヤサイドフレーム３２上面のフロア部に接合されたものである（図３、図１１参照）。  
この構成によれば、次のような効果がある。
【００９３】
すなわち、ダンパ支持部が、仮に、リヤサイドフレームの上方かつ車幅方向外方にオフセットしたリヤホイールハウス上部に設けられていると、後突または側突の荷重入力時に、ダンパ支持部に対してモーメントが働くことになるが、上述のように、ダンパ支持部７６がリヤサイドフレーム３２それ自体に設けられているので、斯るモーメントの発生を抑止して、衝突荷重入力を最小限に抑制することができる。
【００９４】
また、この発明の一実施形態においては、上記リヤサスペンションのダンパ支持補強部材８７を介して上記第１環状構造部Ｚ１と上記第４環状構造部Ｚ４との下端同士が前後方向に連結されたものである（図１３参照）。  
この構成によれば、リヤサスペンションのダンパ支持補強部材８７を用いて、第１環状構造部Ｚ１の下部と、第４環状構造部Ｚ４の下部とを連結することができると共に、当該ダンパ支持補強部材８７にて、第１環状構造部Ｚ１の下部と、第２環状構造部Ｚ２の下部との間の一部を補強することができる。よって、車両後部の車体剛性をさらに確実に向上させることができる。
【００９５】
さらに、この発明の一実施形態においては、フロントホイールハウス１２上部にフロントサスペンションのダンパ支持部１４を備え、当該ダンパ支持部１４の近傍に、少なくともフロントサスペンションタワー部（サスタワー部１３）、サブフレーム（フロントサブフレーム８）、カウルクロスメンバ（カウルクロスメンバアッパ３、カウルクロスメンバロア参照）を含む閉断面部から成り車幅方向において環状となる第５環状構造部Ｚ５が形成され、ドア開口部５３，５４周囲に閉断面部から成り車両側面視で前後方向において環状となる第６環状構造部Ｚ６が形成され、当該第６環状構造部Ｚ６の後部は、上記第３環状構造部Ｚ３に対してその上部がルーフサイドレール４０を介して連結されると共に、その下部がリヤサイドフレーム３２を介して連結されたものである（図１、図１３参照）。
【００９６】
この構成によれば、第６環状構造部Ｚ６の後部が、ルーフサイドレール４０およびリヤサイドフレーム３２を介して上記第３環状構造部Ｚ３に連結されており、さらに、フロントサスペンションのダンパ支持部１４の近傍には、上述の第５環状構造部Ｚ５を備えているので、車体全体のねじれ剛性が向上し、操縦安定性を確保することができる。
【００９７】
この発明の構成と、上述の実施例との対応において、  
この発明のリヤゲート開口部は、実施例の後部荷室開口６５に対応し、  
以下同様に、  
フロアパネルは、リヤフロアパン１９に対応し、  
フロアクロスメンバは、クロスメンバアッパ２３、クロスメンバロア２５に対応し、  
第２のフロアクロスメンバは、後部クロスメンバ２７に対応し、  
リヤバンパレイン取付け補強部材は、リヤバンパブラケットアッパ８８に対応し、  
フロントサスペンションタワー部は、サスタワー部１３に対応し、  
サブフレームは、フロントサブフレーム８に対応し、  
カウルクロスメンバは、カウルクロスメンバアッパ３、カウルクロスメンバロアに対応するも、  
この発明は、上述の実施例の構成のみに限定されるものではない。
【産業上の利用可能性】
【００９８】
以上説明したように、本発明は、車体後部に、閉断面部、または、車体パネルよりも厚板の厚板部にて車幅方向の環状構造部が形成されたような車両の後部車体構造について有用である。
【符号の説明】
【００９９】
３…カウルクロスメンバアッパ（カウルクロスメンバ）
８…フロントサブフレーム
１２…フロントホイールハウス
１３…サスタワー部（フロントサスペンションタワー部）
１４…ダンパ支持部
１９…リヤフロアパン（フロアパネル）
２０…リヤエンドパネル
２１…リヤエンドクロスメンバ
２２，２４，２８，３１，４２，４８，６９，８１，８４，８６…閉断面部
２３…クロスメンバアッパ（フロアクロスメンバ）
２５…クロスメンバロア（フロアクロスメンバ）
２７…後部クロスメンバ（第２のフロアクロスメンバ）
３２…リヤサイドフレーム
３８…リヤヘッダ
３９…ルーフパネル
４０…ルーフサイドレール
４７…ルーフレイン
５２…中間ピラー
５３，５４…ドア開口
６４…リヤピラー
６５…後部荷室開口（リヤゲート開口部）
７２…リヤホイールハウス
７５…サイドパネル
７６…ダンパ支持部
８３…第１ブレース部材
８５…第２ブレース部材
８７…ダンパ支持補強部材
８８…リヤバンパブラケットアッパ（リヤバンパレイン取付け補強部材）
Ｈ，Ｋ，Ｎ…車体下壁部
Ｉ，Ｌ，Ｐ…側壁部
Ｊ，Ｍ…上壁部
Ｚ１…第１環状構造部
Ｚ２…第２環状構造部
Ｚ３…第３環状構造部
Ｚ４…第４環状構造部
Ｚ５…第５環状構造部
Ｚ６…第６環状構造部
【図１】
2020138577.tif 000003
【図２】
2020138577.tif 000004
【図３】
2020138577.tif 000005
【図４】
2020138577.tif 000006
【図５】
2020138577.tif 000007
【図６】
2020138577.tif 000008
【図７】
2020138577.tif 000009
【図８】
2020138577.tif 000010
【図９】
2020138577.tif 000011
【図１０】
2020138577.tif 000012
【図１１】
2020138577.tif 000013
【図１２】
2020138577.tif 000014
【図１３】
2020138577.tif 000015